(57)【要約】【課題】ステージの前後方向の幅を狭く形成しても、前後方向の占有スペースを少なく抑えつつ、面白みのある遊技球の挙動を演出できる２段構造のステージを備えた弾球遊技機とする。【解決手段】弾球遊技機１０において、遊技領域３１ｂを有する遊技盤３０と装飾枠４０とステージ１００と入賞口３３を備えており、ステージは、上段ステージ１１０と、その下方に配置されて前方が開口を有する壁部１２５で覆われた下段ステージ１２０を備えており、上段ステージは、遊技球の一部を下段ステージに落下させる落下口１１３を有しており、下段ステージは、落下口から落下した遊技球を入賞口に導く誘導路１２２と、転動する遊技球の誘導路への進入を難しくする障害突起１２３を設けており、かつ、下段ステージは、壁部の開口として、誘導路の遊技球を入賞口に排出する排出口１２６と、遊技領域から誘導路以外に遊技球を進入可能とする進入口１２７を有している。【選択図】図４
2012245227.tif 000002
【特許請求の範囲】
【請求項１】
ガイドレールによって区画形成された遊技領域を有する遊技盤と、
該遊技盤の前記遊技領域に付設された装飾枠と、
該装飾枠に配置され、遊技球が転動するステージと、
前記ステージの下方に配置されて遊技球が入賞する入賞口と、
を備えており、
前記ステージは、上段ステージと、該上段ステージの下方に配置されて前方が壁部で覆われると共に該壁部に開口を有する下段ステージと、を備えており、
前記上段ステージは、該上段ステージを転動する遊技球の一部を前記下段ステージに落下させる落下口を有しており、
前記下段ステージは、その底面に、前記上段ステージの前記落下口から落下した遊技球を前記入賞口に導く誘導路と、前記下段ステージを転動する遊技球の該誘導路への進入を難しくする障害突起と、を設けており、
かつ、前記下段ステージは、前記壁部の開口として、前記誘導路を転動する遊技球を前記入賞口に向けて排出する排出口と、前記遊技領域から前記下段ステージの前記誘導路以外の領域に遊技球を進入可能とする進入口と、を有していることを特徴とする弾球遊技機。
【請求項２】
前記上段ステージは、前記落下口が穿設された箇所に、前方に所定量突出した突出部を備えていることを特徴とする請求項１に記載の弾球遊技機。
【発明の詳細な説明】
【技術分野】
【０００１】
本発明は弾球遊技機に関し、特に、遊技球が転動するステージを有する弾球遊技機に関するものである。
【背景技術】
【０００２】
従来、パチンコ遊技機等の弾球遊技機においては、その遊技盤の遊技領域に入賞口が配設されており、その上方に、遊技球を転動させると共に遊技球を入賞口に入賞し易い方向に誘導したり入賞口に入賞し難い方向に誘導したりする誘導手段を設けたステージが配設されているものがある。また、弾球遊技機の中には、前記したステージとして、上段ステージと下段ステージの２段のステージを有しているものがある。このような弾球遊技機では、一般的に上段ステージの斜め下前方に下段ステージが配置され、上段ステージ及び下段ステージが前後に並んで配置されている（例えば、特許文献１〜３参照）。また、弾球遊技機の中には、可動役物等の構造物をステージの後方に配置したものがある（例えば、特許文献４参照）。
【先行技術文献】
【特許文献】
【０００３】
【特許文献１】特開２０１０−８２１１９号公報
【特許文献２】特開２０１０−６９１４１号公報
【特許文献３】特許４４７０１４０号公報
【特許文献４】特開２０１０−１１９７１０号公報
【発明の概要】
【発明が解決しようとする課題】
【０００４】
ここで、ステージを配設する箇所における弾球遊技機の後方のスペースに余裕がある場合には、上段ステージと下段ステージの前後方向における配設レイアウトや、上段ステージ自体、下段ステージ自体の前後方向の幅を広く取ることができる。その結果、前記した特許文献１〜３に記載した弾球遊技機のように、上段ステージの斜め下前方に下段ステージが配置され、上段ステージ及び下段ステージが前後に並んで配置されているステージレイアウトを構成することができる。
【０００５】
しかしながら、前記した特許文献４に記載した弾球遊技機のように、ステージを配設する箇所における弾球遊技機の後方に大型の可動役物等の構造物が配置されている等の種々の理由で、ステージにおける前後方向の幅を広く形成することが不可能な弾球遊技機もある。このような弾球遊技機では、ステージを上段ステージと下段ステージの２段構造にしようとしても、遊技球を上段ステージから下段ステージに誘導する構造として前後方向の配置位置をずらして上段ステージと下段ステージを階段状に配置するような構造を形成することができず、結果的にステージの単段化を強いられる等の制約が生じてしまい、遊技球の挙動の面白みが低下するという問題が生じていた。
【０００６】
本発明は、このような事情に鑑みてなされたものであり、ステージ自体及びステージ構成における前後方向の幅を狭く形成せざるを得ない場合でも、上段ステージと下段ステージの２段構造のステージを形成することができ、前後方向の占有スペースを少なく抑えつつ、面白みのある遊技球の挙動を演出することができるステージを備えた弾球遊技機を提供することを目的とする。
【課題を解決するための手段】
【０００７】
かかる課題を解決するために、本発明の請求項１に記載の発明は、ガイドレールによって区画形成された遊技領域を有する遊技盤と、該遊技盤の前記遊技領域に付設された装飾枠と、該装飾枠に配置され、遊技球が転動するステージと、前記ステージの下方に配置されて遊技球が入賞する入賞口と、を備えており、前記ステージは、上段ステージと、該上段ステージの下方に配置されて前方が壁部で覆われると共に該壁部に開口を有する下段ステージと、を備えており、前記上段ステージは、該上段ステージを転動する遊技球の一部を前記下段ステージに落下させる落下口を有しており、前記下段ステージは、その底面に、前記上段ステージの前記落下口から落下した遊技球を前記入賞口に導く誘導路と、前記下段ステージを転動する遊技球の該誘導路への進入を難しくする障害突起と、を設けており、かつ、前記下段ステージは、前記壁部の開口として、前記誘導路を転動する遊技球を前記入賞口に向けて排出する排出口と、前記遊技領域から前記下段ステージの前記誘導路以外の領域に遊技球を進入可能とする進入口と、を有している弾球遊技機としたことを特徴とする。
【０００８】
請求項１に係る発明によれば、上段ステージの下方に下段ステージを配置した上で、上段ステージに落下口を設けると共に、下段ステージの底面に誘導路を設けたため、ステージ自体及びステージ構成における前後方向の幅を狭く形成せざるを得ない場合でも、弾球遊技機の前後方向の占有スペースを縮小化した２段構造のステージを形成することができる。
【０００９】
また、上段ステージでは、転動する遊技球の一部を落下口により下段ステージの誘導路に落下させて入賞口に導き、下段ステージでは、排出口と独立して壁部に進入口を設けて遊技球を進入可能とし、その上で、進入口から進入した遊技球のうち、障害突起を乗り越えた遊技球のみを誘導路を通じて入賞口に導くように構成したため、面白みのある遊技球の挙動を演出することができる。
【００１０】
また、本発明の請求項２に記載の発明は、請求項１に記載の構成に加えて、前記上段ステージは、前記落下口が穿設された箇所に、前方に所定量突出した突出部を備えている弾球遊技機としたことを特徴とする。
【００１１】
請求項２に係る発明によれば、落下口と当該箇所に形成された突出部により、上段ステージを転動する遊技球の一部を落下口に落下させ、残りを突出部のうちの落下口ではない領域を通過させるといった、遊技球を落下口に落下させたり落下させなかったりする振分が可能になるため、上段ステージの前後方向の幅が小さい場合でも、入賞口に遊技球を案内する特定ルートとして落下口を配置した上で、面白みのある遊技球の挙動を演出することが可能となる。
【図面の簡単な説明】
【００１２】
【図１】本発明の実施の形態におけるパチンコ遊技機を表面側からみた斜視図である。
【図２】同パチンコ遊技機を背面側からみた斜視図である。
【図３】同パチンコ遊技機の遊技盤の正面図である。
【図４】同パチンコ遊技機のステージの斜視図である。
【図５】同パチンコ遊技機のステージの正面図である。
【図６】同パチンコ遊技機のステージの平面図である。
【図７】同パチンコ遊技機のステージの右側面図である。
【図８】図５のＡ−Ａ断面図である。
【図９】図５のＡ−Ａ断面斜視図である。
【図１０】同パチンコ遊技機のステージから壁部を外した状態の斜視図である。
【図１１】同パチンコ遊技機のステージから壁部を外した状態の正面図である。
【発明を実施するための形態】
【００１３】
以下、本発明の実施の形態における弾球遊技機について図面を参照しながら説明する。なお、本発明の実施の形態では、弾球遊技機としてパチンコ遊技機を例に説明している。図１は、本発明の実施の形態におけるパチンコ遊技機を表面側からみた斜視図であり、図２は、同パチンコ遊技機を背面側からみた斜視図である。
【００１４】
本発明の実施の形態におけるパチンコ遊技機１０は、図１に示すように、外枠１１、前枠１２、窓枠１３及び当該窓枠１３に覆われた遊技盤３０（後述）などを備えている。また、パチンコ遊技機１０の背面には、図２に示すように、液晶ディスプレイ型の演出表示装置３７（後述）などの表示制御や、可動役物及びＬＥＤなどによる遊技演出の制御を行う表示演出サブ基板２１、各種遊技音の出力制御を行う音サブ基板２２、入賞時におけるパチンコ遊技機１０の動作等を含むパチンコ遊技機１０の主要な動作を制御する主基板２３、パチンコ球（遊技球）の払い出し動作を制御する払出基板２４、各基板等に電源を供給する電源基板２５等の各種基板が例えば透明ケースに収納された状態で取り付けられている。
【００１５】
具体的に、外枠１１は、パチンコホールの台島に設置されており、図１に示すように、前後面が開口するように四角筒状に形成されている。前枠１２は、外枠１１の前端面に左側辺部の垂直な軸を中心に回動可能に装着されている。また、この前枠１２の前面下部には、上面が開口する下皿１４と、上面が開口する上皿１５とが固定されている。
【００１６】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球槌が連結されている。この発射モータは打球槌の駆動源に相当するものであり、発射ハンドル１９が回動操作されたときには発射モータに駆動電源が供給される。その結果、打球槌が駆動して上皿１５内のパチンコ球が弾き出される。
【００１７】
窓枠１３は前枠１２の前面に装着されている。この窓枠１３は前枠１２と一体となって、前記した軸を中心に回動可能となっている。また、この窓枠１３には円形孔状の窓部１７が形成されており、窓部１７の内周面には透明なガラスやアクリル等からなる透明板１７ａが固定されている。この窓枠１３の左上隅部及び右上隅部の裏面には、遊技音を出力するスピーカ１８が固定されている。また、窓枠１３には複数の装飾ＬＥＤが固定されている。
【００１８】
上述の遊技盤３０は、前枠１２の後面に装着されている。以下、この遊技盤３０及び遊技盤３０に備えられる各構成部材について図３を参照して詳細に説明する。図３は、本発明の実施の形態における遊技盤３０の正面図である。この遊技盤３０は、上述のように前枠１２の後面に装着されており、窓枠１３の透明板１７ａに前方から覆われている。
【００１９】
遊技板３１は、その板面（遊技盤３０の盤面）等に遊技盤３０の有する各構成部材を固定するための板である。ガイドレール３２は、この遊技板３１の前記透明板１７ａと対向する表面側の板面に固定されて、この遊技板３１上に、パチンコ球の発射通路３１ａと、発射されたパチンコ球が転動しながら流下する遊技領域３１ｂとを区画形成する。遊技盤３０における遊技領域３１ｂのほぼ中央部には、遊技板３１に貫設された開口部３８が形成されている。この開口部３８の周縁には、センター装飾部材（装飾枠）４０が付設されている。また、センター装飾部材４０には、開口部３８の下部を覆うように、後述するステージ１００が形成されている。
【００２０】
また、遊技領域３１ｂにおいては、遊技板３１に形成された開口部３８の周囲の少なくとも一部に、パチンコ球が転動しながら流下するようになっている。本実施の形態では、ガイドレール３２と開口部３８との間の領域で、開口部３８の上方から左方及び右下方までの領域にパチンコ球が流下するようになっている。
【００２１】
また、遊技領域３１ｂにおける遊技板３１の板面上には、パチンコ球の流下方向を変化させる複数の遊技釘（障害部材）３９が打ち込まれている。上述の打球槌が弾いたパチンコ球は、発射通路３１ａを通して遊技領域３１ｂ内に放出される。そして、遊技領域３１ｂに放出されたパチンコ球は、遊技釘３９に当たって転動しながら遊技領域３１ｂを流下し、最終的に何れかの入賞口又は遊技領域３１ｂの最下方に位置するアウト口３６に入るようになっている。
【００２２】
また、遊技板３１に貫設された開口部３８の後方には、カラー液晶ディスプレイ等を用いた演出表示装置３７が設けられている。この演出表示装置３７は、大当り遊技状態を発生させるか否かの判定結果に基づき変動演出表示を行う広い面積の表示画面３７ａを有しており、当該表示画面３７ａが開口部３８からパチンコ遊技機１０の前方に向けて臨むようになっている。
【００２３】
また、演出表示装置３７の下部前方には、可動役物４１が配置されている。この可動役物４１は、演出表示装置３７とステージ１００の間に設けられる収容空間に収容されている。
【００２４】
また、遊技領域３１ｂ内において、演出表示装置３７及びステージ１００の下方には、本発明の入賞口としての始動入賞口３３が配置されている。この始動入賞口３３は、パチンコ球が入賞することによって、遊技者に有利な大当り遊技状態を発生させるか否かの判定を行う起点となるものであり、上方に開口するポケット状に形成されている。
【００２５】
また、始動入賞口３３の下方には、大入賞口３４が配置されている。この大入賞口３４は図示しないアクチュエータの作動により開閉する開閉扉３４ａを備えており、この開閉扉３４ａは、遊技状態が大当り遊技状態になると開口し、その際には大入賞口３４が上方に向かってポケット状に幅広く開口し、多数のパチンコ球が同時かつ連続的に大入賞口３４に入賞可能となる。
【００２６】
また、遊技領域３１ｂの所定位置（本実施の形態では、開口部３８の周縁に装着されたセンター装飾部材４０の左側方）にはワープ通路９０が設けられており、遊技領域３１ｂにおけるパチンコ球が流下する途中（本実施の形態では、開口部３８の周縁に装着されたセンター装飾部材４０の左側方の上部）にワープ通路９０の球入口９１が形成されており、また、遊技領域３１ｂにおけるステージ１００付近（本実施の形態では、開口部３８の周縁に装着されたセンター装飾部材４０の左側方の下部でステージ１００に繋がる位置）にワープ通路９０の球出口９２が形成されている。そして、本実施の形態では、遊技領域３１ｂに転動するパチンコ球が、球入口９１からワープ通路９０に入り、当該ワープ通路９０内を通って、球出口９２から放出されることで、パチンコ球がステージ１００に誘導されるようになっている。
【００２７】
また、遊技領域３１ｂ内の所定位置には、パチンコ球が入賞可能な一般入賞口３５が上方に開口するポケット状に形成されている（本実施の形態では、遊技領域３１ｂの左下部に複数の一般入賞口３５が形成されている）。
【００２８】
以下、本実施の形態におけるステージ１００について図４〜図１１を参照して詳細に説明する。図４は、本発明の実施の形態におけるパチンコ遊技機のステージの斜視図であり、図５は、同パチンコ遊技機のステージの正面図であり、図６は、同パチンコ遊技機のステージの平面図であり、図７は、同パチンコ遊技機のステージの右側面図であり、図８は、図５のＡ−Ａ断面図であり、図９は、図５のＡ−Ａ断面斜視図であり、図１０は、同パチンコ遊技機のステージから壁部を外した状態の斜視図であり、図１１は、同パチンコ遊技機のステージから壁部を外した状態の正面図である。
【００２９】
本実施の形態におけるステージ１００は、図３に示すように、センター装飾部材４０の下部に配設され、本発明の入賞口としての始動入賞口３３の上方に配設されており、パチンコ球を転動させながら、始動入賞口３３に入賞し易い方向に誘導したり始動入賞口３３に入賞し難い方向に誘導したりする誘導手段として機能するものである。
【００３０】
また、前記ステージ１００は、遊技板３１の板面からみてほぼ面一（最大の突出部分である突出部１１４（後述）が遊技板３１から前方にパチンコ球１個分未満の出っ張りとなる）の状態になるように配置されており、かつ、上段ステージ１１０と下段ステージ１２０の２段構造に形成されている。以下、各部材について詳しく説明する。
【００３１】
上段ステージ１１０は、図４〜図１１に示すように、下段ステージ１２０の直上、すなわち、下段ステージ１２０より上方位置で、かつ、下段ステージ１２０に平面視でほぼ重なる位置に形成されている。また、上段ステージ１１０は、ワープ通路９０の球出口９２の右側に連通するように設けられており、当該球出口９２から放出されて転がり込んだパチンコ球を転動させる略平面状（本実施の形態では、多少の起伏を有している）の上段転動面１１１を備えている。この上段転動面１１１は、演出表示装置３７の下部が後方に配置されている、センター装飾部材４０の下部に配設されており、演出表示装置３７の表示画面３７ａの下部を略覆う程度の左右幅に形成されている。
【００３２】
また、上段転動面１１１の前後方向の幅Ｓは、上段転動面１１１の前後に形成された壁面１１１ａ，１１１ｂによってパチンコ球が１個通過可能な程度に形成されている。すなわち、この上段ステージ１１０の上段転動面１１１では、転動するパチンコ球が当該上段転動面１１１上ですれ違うことができない状態になっている。なお、本実施の形態では、上段転動面１１１の壁面１１１ａ，１１１ｂは、上段ステージ１１０の前方端部及び後方端部と同じ位置となっている。
【００３３】
また、この上段転動面１１１の前側には、図４〜図６に示すように、上段誘導切欠部１１２が形成されている。この上段誘導切欠部１１２は、上段転動面１１１上に転動しているパチンコ球が前方に落下することが可能となるように切り欠かれたように形成されており、また、パチンコ球が前方に転がり易いように前方に傾いた傾斜が付けられている。この上段誘導切欠部１１２から落下したパチンコ球は、ステージ１００から始動入賞口３３に入り難い遊技領域３１ｂの位置に排出されるようになっている。また、本実施の形態では、上段ステージ１１０の上段転動面１１１における中心部から見て左側と右側の２箇所に、上段誘導切欠部１１２が形成されている。また、本実施の形態では、上段転動面１１１が「Ｗ」の字を左右に延ばしたような緩い起伏が形成されており、前記した２箇所の上段誘導切欠部１１２は起伏のうちの２箇所の底部に形成されている。なお、このステージ１００は、その上段ステージ１１０の上段転動面１１１の前方の端部に形成された壁面１１１ａが、遊技板３１の板面とほぼ面一に形成されている。
【００３４】
また、この上段転動面１１１の左右方向の起伏の中央の頂部の後側には、図４及び図６に示すように、落下口１１３が穿設されている。この落下口１１３は、パチンコ球が１個通過可能に形成されると共に、落下口１１３に流入したパチンコ球を略鉛直方向に落下させる略垂直の通路であり、ここに入ったパチンコ球は、ここと連通する下段ステージ１２０の誘導路（後述）１２２及び排出口１２６を介して、始動入賞口３３に入賞し易い位置に誘導されてステージ１００から排出されるようになっている。
【００３５】
また、落下口１１３が穿設された箇所の上段ステージ１１０は、他の箇所に比べて、前方に所定量突出した突出部１１４となっている。本実施の形態の突出部１１４は、パチンコ球約半個分前方に突出した構成となっており、これにより、上段ステージ１１０の落下口１１３が穿設された箇所を通るパチンコ球が、必ず落下口１１３に落下するとは限らず、当該落下口１１３に落下するか、突出部１１４の落下口１１３以外の面を通って上段ステージ１１０の左右方向の反対側に通過していくかの振り分けが行われるようになっている。また、本実施の形態では、突出部１１４における落下口１１３の前方の上段転動面１１１の一部（前側部分）に、当該部分を通ったパチンコ球が丁度触れるか触れないか程度の膨出部１１５が形成されており、これにパチンコ球が触れると、当該パチンコ球は後方に押されて落下口１１３に入り易くなるように構成されている。また、本実施の形態では、突出部１１４の前方への突出がパチンコ球半個程度であるため、突出部１１４の前方の先端部と透明板１７ａの間にパチンコ球が通過可能な程度の隙間が空くこととなる。これにより、始動入賞口３３の上方にある突出部１１４がパチンコ球の通過が不可能な程度まで突出している場合と比べて、始動入賞口３３付近で転動するパチンコ球の挙動の自由度が上がり、パチンコ遊技機の興趣をより高くすることができるようになっている。
【００３６】
下段ステージ１２０は、図４〜図１１に示すように、その前方端部となる壁部１２５が遊技板３１の板面とほぼ面一となるように形成されており、上段ステージ１１０の直下、すなわち、上段ステージ１１０よりも下方でかつ平面視にて前後方向が上段ステージ１１０にほぼ重なる位置に配置されており、転がり込んだパチンコ球を転動させる略平面状（本実施の形態では、多少の起伏を有している）の下段転動面１２１を備えている。この下段転動面１２１は、上段転動面１１１よりも若干左右幅が小さく形成されている。また、下段転動面１２１の前後方向の幅Ｔは、パチンコ球１個が通過可能な程度に形成されている。すなわち、この下段ステージ１２０の下段転動面１２１では、上段転動面１１１と同様に、転動するパチンコ球が当該下段転動面１２１上ですれ違うことができない状態になっている。なお、本実施の形態では、開口した下段転動面１２１を別体の壁部１２５で覆うように構成されており、当該壁部１２５は、上段ステージ１１０の前方の壁面１１１ａと同じ位置に係止されるようになっている。
【００３７】
また、この下段転動面１２１の前側の壁部１２５には、図４及び図９に示すように、排出口１２６よりも開口面積が大きい進入口１２７が形成されている。この進入口１２７は、下段ステージ１２０の下段転動面１２１上に転動しているパチンコ球が前方に落下することが可能となると共に、遊技領域３１ｂ上を転動している遊技球が下段ステージ１２０に進入可能となるようにした開口である。また、本実施の形態では、下段ステージ１２０の下段転動面１２１における中心部から見て左側と右側の２箇所に、進入口１２７が形成されている。また、本実施の形態では、上段転動面１１１と同様に、下段転動面１２１が「Ｗ」の字を左右に延ばしたような緩い起伏が形成されており、前記した２箇所の進入口１２７は起伏のうちの２箇所の底部の前面側に形成されている。また、この進入口１２７が形成された箇所の下段転動面１２１は、上段ステージ１１０の上段誘導切欠部１１２のように、前方に傾いた傾斜が付けられており、パチンコ球が遊技領域３１ｂに排出され易いようになっている。
【００３８】
また、この下段転動面１２１の左右方向の起伏の中央の頂部には、図４，図９〜図１１に示すように、誘導路１２２が形成されている。この誘導路１２２は、上段ステージ１１０の落下口１１３の下方に連通した箇所にあり、落下口１１３を介して上段ステージ１１０から落下してきたパチンコ球が１個通過可能に形成された略棒状の２つの誘導部材で構成されており、この２つの誘導部材の間にパチンコ球が誘導され、誘導路１２２の前方の壁部１２５に穿設された排出口１２６からステージ１００外部に排出されて、始動入賞口３３にパチンコ球が誘導されるようになっている。なお、排出口１２６は、パチンコ球が１個通過可能な大きさに形成されている。
【００３９】
また、本実施の形態では、誘導路１２２と、前方に進入口１２７が形成された左右の下段転動面１２１との間に、２つの障害突起１２３が形成されている。この障害突起１２３は、進入口１２７から下段転動面１２１に進入してきたパチンコ球が誘導路１２２に入ってくるのを難しくするためのものであり、所定の前後方向の幅及び所定の高さに形成されている。本実施の形態では、前後方向の幅は下段ステージ１２０の前後方向の幅と同じだけ延びており、高さは障害突起１２３の上端と下段ステージ１２０の上面との間にパチンコ球が丁度１個通過可能な程度の隙間が形成される状態に形成されている。これにより、遊技領域３１ｂから進入口１２７に進入したパチンコ球のうち、障害突起１２３を乗り越えたものだけが誘導路１２２に入ることができ、その後、始動入賞口３３に入賞する可能性が高くなるので、進入口１２７から誘導路１２２に入るのは難しいが、全く可能性がない訳ではない状態となり、遊技の興趣を高めることができる。
【００４０】
以上のように、本実施の形態のパチンコ遊技機（弾球遊技機）１０は、ガイドレール３２によって区画形成された遊技領域３１ｂを有する遊技盤３０と、該遊技盤３０の前記遊技領域３１ｂに付設されたセンター装飾部材（装飾枠）４０と、該センター装飾部材（装飾枠）４０に配置され、遊技球が転動するステージ１００と、前記ステージ１００の下方に配置されて遊技球が入賞する始動入賞口（入賞口）３３と、を備えており、前記ステージ１００は、上段ステージ１１０と、該上段ステージ１１０の下方に配置されて前方が壁部１２５で覆われると共に該壁部１２５に開口を有する下段ステージ１２０と、を備えており、前記上段ステージ１１０は、該上段ステージ１１０を転動する遊技球の一部を前記下段ステージ１２０に落下させる落下口１１３を有しており、前記下段ステージ１２０は、その底面に、前記上段ステージ１１０の前記落下口１１３から落下した遊技球を前記始動入賞口（入賞口）３３に導く誘導路１２２と、前記下段ステージ１２０を転動する遊技球の該誘導路１２０への進入を難しくする障害突起１２３と、を設けており、かつ、前記下段ステージ１２０は、前記壁部１２５の開口として、前記誘導路１２２を転動する遊技球を前記始動入賞口（入賞口）３３に向けて排出する排出口１２６と、前記遊技領域３１ｂから前記下段ステージ１２０の前記誘導路１２２以外の領域に遊技球を進入可能とする進入口１２７と、を有しているパチンコ遊技機（弾球遊技機）１０としたことを特徴とする。
【００４１】
そして、本実施の形態のパチンコ遊技機（弾球遊技機）１０によれば、上段ステージ１１０の下方に下段ステージ１２０を配置した上で、上段ステージ１１０に落下口１１３を設けると共に、下段ステージ１２０の底面に誘導路１２２を設けたため、ステージ１００自体及びステージ１００構成における前後方向の幅を狭く形成せざるを得ない場合でも、パチンコ遊技機（弾球遊技機）１０の前後方向の占有スペースを縮小化した２段構造のステージ１００を形成することができる。
【００４２】
また、上段ステージ１１０では、転動する遊技球の一部を落下口により下段ステージ１２０の誘導路１２２に落下させて始動入賞口（入賞口）３３に導き、下段ステージ１２０では、排出口１２６と独立して壁部１２５に進入口１２７を設けて遊技球を進入可能とし、その上で、進入口１２７から進入した遊技球のうち、障害突起１２３を乗り越えた遊技球のみを誘導路１２２を通じて始動入賞口（入賞口）３３に導くように構成したため、面白みのある遊技球の挙動を演出することができる。
【００４３】
また、本実施の形態のパチンコ遊技機（弾球遊技機）１０は、前記した構成に加えて、前記上段ステージ１１０は、前記落下口１１３が穿設された箇所に、前方に所定量突出した突出部１１４を備えているパチンコ遊技機（弾球遊技機）１０としたことを特徴とする。
【００４４】
そして、本実施の形態のパチンコ遊技機（弾球遊技機）１０によれば、落下口１１３と当該箇所に形成された突出部１１４により、上段ステージ１１０を転動する遊技球の一部を落下口１１３に落下させ、残りを突出部１１４のうちの落下口１１３ではない領域を通過させるといった、遊技球を落下口１１３に落下させたり落下させなかったりする振分が可能になるため、上段ステージ１１０の前後方向の幅が小さい場合でも、始動入賞口（入賞口）３３に遊技球を案内する特定ルートとして落下口１１３を配置した上で、面白みのある遊技球の挙動を演出することが可能となる。
【００４５】
なお、以上説明した各実施の形態は、本発明の理解を容易にするために記載されたものであって、本発明を限定するために記載されたものではない。
【００４６】
例えば、前記した実施の形態では、弾球遊技機としてパチンコ遊技機を挙げて説明したが、本発明はこれに限るものではなく、アレンジボール等の他の弾球遊技機にも適用可能である。
【００４７】
また、前記した実施の形態では、入賞口に遊技球を誘導するステージとして、所謂始動入賞口３３にパチンコ球を誘導するステージ１００について説明してきたが、本発明におけるステージはこれに限るものではなく、所謂羽根物タイプのステージや、大入賞口に入賞後にパチンコ球を転動させるように構成されたステージ等、種々の入賞口に入賞した後のパチンコ球の動きを単調でなく複雑で興趣のある動きにさせることが目的の箇所にも適用することができる。
【００４８】
また、前記した実施の形態では、下段ステージ１２０の本体部と壁部１２５は別部材で構成され、下段ステージ１２０の前方の開口を壁部１２５で蓋をするような構成となっていたが、本発明はこれに限るものではなく、下段ステージと壁部が一体に形成されているものでも良い。
【符号の説明】
【００４９】
１０…パチンコ遊技機（弾球遊技機）、３０…遊技盤、３１ｂ…遊技領域、３２…ガイドレール、３３…始動入賞口（入賞口）、４０…センター装飾部材（装飾枠）、１００…ステージ、１１０…上段ステージ、１１３…落下口、１１４…突出部、１２０…下段ステージ、１２２…誘導路、１２３…障害突起、１２５…壁部、１２６…排出口、１２７…進入口
【図１】
2012245227.tif 000003
【図２】
2012245227.tif 000004
【図３】
2012245227.tif 000005
【図４】
2012245227.tif 000006
【図５】
2012245227.tif 000007
【図６】
2012245227.tif 000008
【図７】
2012245227.tif 000009
【図８】
2012245227.tif 000010
【図９】
2012245227.tif 000011
【図１０】
2012245227.tif 000012
【図１１】
2012245227.tif 000013